(57)【要約】【課題】マンホールの蓋の下面にマグネットにより固定されたアンテナにおいて、マンホールを開けるため工具をマンホールの鍵穴に挿入しても落下することのない状態でアンテナ本体を保持するアンテナ用の落下防止金具を提供する。【解決手段】本発明は、地中に埋設されたマンホールの蓋の下面、即ちマンホール内の面に、蓋に設けられている開閉用の鍵穴にアンテナ本体を嵌挿した状態でマグネットにより吸着させる構成のアンテナにおいて、アンテナ本体を保持するアンテナ部と取付部を分離し、マンホール開閉用の工具の挿入に伴ってンテナ部の摺動板を取付部の摺動ガイド板に沿って摺動させ、アンテナ部をアンテナ本体と一体で取付部に対して下方向に移動可能な構成とする。【選択図】  図３
2006253773.tif 000002
【特許請求の範囲】
【請求項１】
地中に埋設される枠体の上部を閉塞する導電性の蓋に形成されている鍵穴に装着されるアンテナ用の落下防止金具であって、
前記鍵穴内に嵌着可能な形状とされている導電性のアンテナ本体を保持するアンテナ部と、
前記アンテナ部が摺動可能に設置される取付部とからなり、
前記鍵穴内に嵌着されているアンテナ本体を押し下げることによりアンテナ部がアンテナ本体と一体で取付部を摺動することを特徴とするアンテナ用落下防止金具。
【請求項２】
請求項１記載のアンテナ用落下防止金具であって、
アンテナ部に摺動板が設けられ、取付部に摺動ガイド板が設けられており、
前記摺動板が前記摺動ガイド板に沿って摺動することを特徴とするアンテナ用落下防止金具。
【請求項３】
請求項２記載のアンテナ用落下防止金具であって、
アンテナ部には二枚の摺動板が設けられ、取付部に摺動ガイド板が設けられており、
前記二枚の摺動板が前記摺動ガイド板を挟んで摺動することを特徴とするアンテナ用落下防止金具。
【請求項４】
請求項１ないし請求項３記載のアンテナ用落下防止金具であって、
アンテナ部にスペーサが設けられ、取付部にガイド穴が設けられており、
前記スペーサが前記ガイド穴を移動することによりアンテナ部が取付部を摺動することを特徴とするアンテナ用落下防止金具。
【請求項５】
請求項４記載のアンテナ用落下防止金具であって、
前記ガイド穴は直線状のストレート部と幅がストレート部より漸次幅広となる自由部からなることを特徴とするアンテナ用落下防止金具。
【請求項６】
請求項４記載のアンテナ用落下防止金具であって、
前記ガイド穴は直線状のストレート部とストレート部より右あるいは左の一方向、あるいは右と左の両方向に屈曲した自由部からなることを特徴とするアンテナ用落下防止金具。
【請求項７】
請求項４記載のアンテナ用落下防止金具であって、
前記ガイド穴は直線状であることを特徴とするアンテナ用落下防止金具。
【請求項８】
請求項２ないし請求項７記載のアンテナ用落下防止金具であって、
前記摺動板の左右側部および／あるいは下部に突出部を有することを特徴とするアンテナ用落下防止金具。
【請求項９】
請求項２記載のアンテナ用落下防止金具であって、
アンテナ部の前端及び後端に摺動板が設けられ、取付部の前端及び後端に摺動ガイド板が設けられており、
前記摺動板が摺動ガイド板に沿って摺動することを特徴とするアンテナ用落下防止金具。
【発明の詳細な説明】
【技術分野】
【０００１】
本発明は、道路等に埋設されたライフラインのメンテナンスを行うに適したマンホールやハンドホール等（以下「マンホール」と言う）の蓋に装着可能なアンテナの落下防止金具に関するものである。
【背景技術】
【０００２】
地下に埋没されライフライン（上水道、下水道、電気、ガス、電話等）の保守点検のため多種多様のマンホールが設置されている。これらライフラインの状態を把握し、維持管理のための情報を収集する無線を利用した遠隔管理システムも導入されている。無線を利用したシステムが、特開２００４−７２１０に提案されている。同公報で提案されている構成は、必要とする情報を収集し、収集された情報の送信を制御する制御部を地中に埋設されるマンホールの枠体の内部に設置し、制御部からの情報を送信するアンテナを枠体の上部を閉塞する蓋に形成されている鍵穴に装着するものでる。この構成により、マンホールの加工を必要としない。また、制御部及びアンテナの設置が容易であり、且つアンテナがマンホールから突出することのないアンテナが可能となっている。
【特許文献１】特開２００４−７２１０号公報
【発明の開示】
【発明が解決しようとする課題】
【０００３】
図１３に従来の遠隔管理システムの概要が示されている。マンホールは地中にコンクリート製のホール枠が埋設され、このホール枠の上部に鋳物等のマンホールの蓋７が嵌着される構成となっている。マンホールの蓋７には、通常、図１４に示されるような、中央部が円形とされた矩形の鍵穴８が形成されている。マンホールの蓋７を開ける際に、図１１（ａ）に示されるような開蓋用の工具を鍵穴８に挿入し、工具の突起部に鍵穴８の周辺部を掛けて持ち上げ、マンホールの蓋７を開けることになる。
【０００４】
マンホール内には無線機２と無線機２を駆動するバッテリー５等が内蔵されている。無線機２は、例えば上水道、下水道、電気、ガス、電話等の保守点検用の測定データを送信するものである。無線機２から導出された給電ケーブ３は、マンホールの蓋７の鍵穴８に着脱可能に装着されているスロットアンテナ１の本体に接続されている。これにより、無線機２から給電ケーブル３に送出された送信信号（ＲＦ）がスロットアンテナ１の本体から送信される。
【０００５】
スロットアンテナ１とマンホールの蓋７の関係が図１５および図１６に示めされている。スロットアンテナ１の本体はマンホールの蓋７の鍵穴８内に嵌挿し得る外形形状とされている。図１５はスロットアンテナ１の本体をマンホールの蓋７の鍵穴８に装着した平面図であり、図１６は、図１４のＡ−Ａ線で示される位置で図１３に示される構成を切断した断面図である。図１６に示されるように、スロットアンテナ１には平板状の取付部６が形成されており、取付部６にはマグネット部５が設けられている。
【０００６】
マグネット部５は、マグネットとマグネットを抱持する強磁性体の枠体からなり、マグネットの吸着力によりスロットアンテナ１はマンホールの蓋７の裏面に吸着される。スロットアンテナ１の本体部をマンホールの蓋７の鍵穴８内に嵌挿した状態で、取付部６のマグネット部５をマンホールの蓋７の裏面に吸着させることにより、スロットアンテナ１を確実にマンホールの蓋７に取り付けることが可能となる。スロットアンテナ１には給電ケーブル３により無線機２と結合されており無線機２のアンテナとして機能する。また、必要に応じて、アンテナ部からバッテリー５に充電電圧を供給することも可能とされている。
【０００７】
上記構成により、地下に埋没されライフラインの情報を収集する無線を利用した遠隔管理システムの導入に際しては、制御部をマンホールの枠体の内部に設置し、アンテナ１をマンホールの蓋７に形成されている鍵穴８に嵌挿するのみで設置が可能となる。また、アンテナ等がマンホールから突出することがなく、設置のためにマンホールに加工を施す必要はない。
【０００８】
上記構成は、スロットアンテナ１のアンテナ本体をマンホールの蓋７の鍵穴８に嵌挿させた状態で、アンテナ本体と一体的に構成された取付部６のマグネット５により、アンテナ部全体を一体的にマンホールの蓋７の裏面に吸着させるものである。マンホールの蓋７の鍵穴８はスロットアンテナ１のアンテナ本体により塞がれ、且つマグネット部５の磁気吸引力により蓋７に吸着されている。マンホール内で作業を行うため、蓋７を持ち上げて開けるためには、引き上げ用の工具を鍵穴８に挿入する必要がある。工具を鍵穴８に挿入するには、鍵穴８に嵌挿されているアンテナ本体の先端に工具を当て、マグネット５の磁気吸引力に抗して工具を押し下げることにより、アンテナ部全体をマンホール内に落下させ、工具を鍵穴８に挿入する必要がある。この作業は、工具をアンテナ本体の先端に正確に当てて強力に押し下げる必要がある。また、マンホール内での作業が終了し蓋７を再び閉める際、マンホール内に落下しているアンテナ部を取り出し、再度アンテナの本体が鍵穴８に嵌挿した状態に設定し直す必要がある。これらは、消火栓等マンホールを開く作業が緊急を要する場合、あるいは夜間の作業の場合には大きな問題となる。
【課題を解決するための手段】
【０００９】
本発明は、地中に埋設されたマンホールの蓋の下面、即ちマンホール内の面に、蓋に設けられている開閉用の鍵穴にアンテナ本体を嵌挿した状態でマグネットにより吸着させる構成のアンテナ用の落下防止金具に関するものであり、アンテナ本体を保持するアンテナ部と取付部を分離し、アンテナ部がアンテナ本体と一体で取付部に対し摺動し移動可能な構成とされている。
【発明の効果】
【００１０】
本発明の構成により、マンホールの蓋を開けるため開閉用の工具を鍵穴に挿入しアンテナ本体の頭部を押し下げることにより、アンテナ本体を保持するアンテナ部が下方に摺動移動する。従って、工具の挿入が容易であり、工具の挿入によりアンテナがマンホール内に落下することのないマンホールの蓋に装着可能なアンテナが得られる。また、開閉用の工具を鍵穴から抜き取った時、アンテナ部は取付部を上方に摺動し、アンテナ本体が自動的に開閉用の鍵穴に嵌挿され、再設定を人手により行う必要の無いアンテナとなる。
【発明を実施するための最良の形態】
【００１１】
本発明に係るアンテナ用落下防止金具は、開閉用の鍵穴に嵌挿されるアンテナ本体を保持するアンテナ部１０と、マグネットが取り付けられそのマグネットの吸着力によりマンホールの蓋に吸着される取付部４０とに分離されており、両者をバネにより結合する構成となっている。また、アンテナ部は取付部を上下方向、即ちマンホールの蓋に対して垂直方向に摺動し移動する構成となっている。マンホールの蓋を開けるため、マンホールの開閉用の鍵穴に嵌挿されているアンテナ本体の先端に作業工具を当て押し下げることにより、アンテナ部はアンテナ本体と一体で取付部を下方向に摺動し移動する。アンテナ部が下方に移動することにより、作業工具も開閉用の鍵穴に挿入され、工具の突起部に鍵穴の周辺部を掛けて持ち上げ蓋を開けることが可能になる。また、作業工具を開閉用の鍵穴から抜き取ると、アンテナ部はバネの収縮力により取付部を上方向、即ちマンホールの蓋方向に摺動移動し、アンテナ本体は開閉用の鍵穴に再度嵌挿される。
なお、以下の説明ではアンテナをスロットアンテナとして説明するが、アンテナはスロットアンテナに限るものではなく、例えば、誘電体等を使用して構成されるチップアンテナ、パッチアンテナ、線状アンテナ等の小型のアンテナにも適用可能である。
【実施例１】
【００１２】
図１は本発明の第１の実施形態のアンテナ部１０とアンテナ本体１２を示す図である。また、図２は取付部４０の図である。図１（ａ）にアンテナ部１０を構成する要素とアンテナ本体１２が示されている。アンテナ部１０は、アンテナ本体１２と一体に作成されているアンテナ基盤１３を保持する第１摺動板２１、第２摺動板２２及びスペーサ３０から構成されている。なお、アンテナ本体１２のほぼ中央に誘電体が充填されているスロット部が裏面から表面にわたり形成されており、アンテナ基盤１３にはマンホール内に設置される通信機等と接続するための、図示されていない給電用コートが接続される。アンテナ本体１２はマンホールの鍵穴に嵌挿し得る形状であり、通信機からの信号を送出し、あるいは充電用の端子として機能する。
【００１３】
第１図（ｂ）にはアンテナ本体１２とアンテナ部１０の各要素を組合せた斜視図が示されている。第１摺動板２１がアンテナ本体１２と一体的に作成れているアンテナ基盤１３に、アンテナ基盤１３に対してほぼ直角となるようにねじ等により固定される。また、第２摺動板２２と第１摺動板２１がスペーサ３０を介してねじ等により固定される。第１摺動板２１と第２摺動板２２はスペーサ３０の厚みにより決められる間隙３２を保って平行となるように固定される。この間隙３２により後述する取付部４０の摺動ガイド板４３を摺動可能に挟むことになる。
【００１４】
第１摺動板及び第２摺動板２１、２２の左右両方向と下方向に傾斜した突出部３５が形成されている。第１摺動板と第２摺動板２１、２２がスペーサ３０を挟んでアンテナ基盤１３に固定されると、第１摺動板２１と第２摺動板２２の対向する突出部３５の傾斜により前記間隙３２が左右の両外方向、及び下方向に向かって開く形状を形成する。なお、上記突出部３５は必須のものではなく、以下で説明する取付部４０の摺動ガイド板４３に設けられるガイド穴４５との関係により、アンテナ部１０がガイド穴４５から離脱することがない場合は、省略が可能である。
【００１５】
図２はマグネットによりマンホールの蓋に固定される取付部４０が示されている。なお、図２（ｂ）では取付部４０に取り付けられるマグネットを透視して描かれている。図２（ａ）は取付部４０の前面図、（ｂ）は上面図、（ｃ）は側面図である。取付部４０は概略Ｔ字の形状である。また、取付部４０の上面の取付基板４２には一つあるいは複数のマグネット４１が取り付けられており、マンホールの蓋の下面、即ちマンホールの内側の面に、取付基板４２が蓋の下面と平行となるようにマグネットの磁気吸引力により吸着固定される。取付基板４２の中央部の下面に取付基板４２とほぼ直角、即ちマンホールの蓋の下面から垂直下方向となるように摺動ガイド板４３が取り付けられている。
【００１６】
摺動ガイド板４３の中央部には、ガイド穴４５があけられている。ガイド穴４５の上方はストレート部４６であり下方は自由部４７となっている。ストレート部４６は一定の幅を有する溝状の穴であり、その幅はアンテナ部１０のスペーサ３０が抵抗無く上下に移動可能となるように、スペーサ３０の横幅より若干広く設定されている。ストレート部４６の下方は幅が漸次広くなる自由部４７とされている。図２に示される第１の実施形態では自由部４７は略二等辺三角形の形状となっている。取付基板４２において、摺動ガイド板４３が取り付けられている位置より後方部の中央は、取付部４０にアンテナ部１０を取り付けた時、アンテナ本体１２とアンテナ基盤１３が位置し、マンホールの蓋の鍵穴より工具が挿入された時工具が通過するアンテナ移動部４４があけられている。取付基板４２と摺動ガイド板４３の間には補強材４９が設けてある。
【００１７】
図３に取付部４０の斜視図がアンテナ本体１２を保持するアンテナ部１０の斜視図と共に示されている。また、図４（ａ）は取付部４０にアンテナ部１０を結合した本実施態様に係るアンテナ用落下防止金具の斜視図であり、同図（ｂ）は取付基板４２の一部を透視し、取付部４０とアンテナ部１０の結合部を透視する図である。
【００１８】
アンテナ部１０の取付部４０への取り付は、アンテナ部１０のスペーサ３０を取付部４０のガイド穴４５に通し、第１摺動片２１を摺動ガイド板４３の後面、即ちアンテナ移動部４４があけられている側の面から、また第２摺動片２２を摺動ガイド板４３の前面から、摺動ガイド板４３とスペーサ３０を挟む状態で、第２摺動片２２、スペーサ部３０、第１摺動片２１、アンテナ本体１２及びアンテナ基盤１３を一体にネジ止めすることによりなされる。この構成により、第１摺動片２１と第２摺動片２２が摺動ガイド板４３を挟んだ状態でスペーサ３０がガイド穴４５内を上下に移動し、アンテナ部１０はアンテナ本体１２と一体で取付部４０を上下に移動可能となる。
【００１９】
アンテナ部１０を取付部４０へ取り付つけた後、アンテナ部１０の第１摺動片２１と第２摺動片２２の下端と取付部４０の取付基板４２との間に、複数のバネ４８が張られる。バネ４８の張力によりアンテナ部１０のスペーサ３０はガイド穴４５の上部に位置づけられ、アンテナ本体１２が取付部４０のアンテナ移動部４４から上方に突き出た状態となる。
【００２０】
図５の（ａ）乃至（ｃ）は、図４に示されるアンテナをマンホールの蓋９０に装着した状態と、マンホールを開けるため、マンホールの鍵穴９１に工具９２を挿入した時のアンテナ部１０の動きを示す図である。図５の（ａ）では、アンテナが蓋９０の下面にマグネット４１の磁気力により吸着されている。第１摺動板２１及び第２摺動板２２と取付部４０の取付板４２の間に張られたバネ４８の張力により、アンテナ部１０は上方、即ちマンホールの蓋方向に引き上げられる。従って、アンテナ部１０のスペーサ３０はガイド穴４５上部のストレート部４６に位置し、アンテナ本体１２の先端部がマンホールの蓋９０の鍵穴９１に嵌挿された状態になっている。
【００２１】
図５（ｂ）は、マンホールの蓋を開けるため開閉用の工具９２（例えば図１１の（ａ））をマンホールの蓋９０の鍵穴９１に露出しているアンテナ本体１２の頭部に押し当て押下した状態を示している。工具９２がバネ４８の力に抗して押し下げられると、アンテナ部１０は降下する。この時スペーサ３０はガイド穴４５上部のストレート部４６内を降下し、アンテナ部１０はマンホールの蓋からほぼ垂直に降下する。降下が進むと、スペーサ３０はストレート部４６を通過し、幅が徐々に広くなる自由部４７に入る。この時アンテナ部１０の第１摺動板２１と第２摺動板２２の下端に形成されている突出部３５の間隙は摺動ガイド板４３の下部４３−１を挟む位置に到達しており、アンテナ部１０はアンテナ本体１２と共に安定した降下が可能である。
【００２２】
図５（ｃ）はアンテナ部１０の降下が進み、スペーサ３０が完全に幅広の自由部４７に到達した状態を示している。スペーサ３０がストレート部４６を通過し終わり自由部４７に入ると、スペーサ３０は自由部４７内を左右に移動可能となる。バネの左右の張力が異なる等の理由により、アンテナ部１０は工具９２の下端をはずれ、自由部４７内を右あるいは左に移動する、図５（ｃ）では右に移動した状態が示されている。アンテナ部１０が自由部４７内を右あるいは左に移動する際、第１摺動板２１と第２摺動板２２の左右に設けられている傾斜した突出部（図５（ｃ）では右側突出部）により、摺動ガイド板４３は抵抗無く間隙３２に入ることが可能となる。アンテナ部１０が工具９２から右あるいは左に移動することにより、工具が更に押し下げられても工具のみが降下する。従って、従来の構成で発生したように、工具がアンテナを押し下げることによりマグネットがマンホールの蓋から離脱し、アンテナがマンホール内に落下すると言う問題は発生しない。
【００２３】
作業が終わり工具９２が鍵穴９１から引き上げられると、アンテナ部１０のスペーサ３０はバネ４８の張力によりガイド穴の自由部４７の上辺の傾斜に沿って上昇しストレート部４６に入る。ストレート部４６に入ったスペーサ３０はストレート部４６をほぼ垂直に上昇する。この上昇によりアンテナ本体１２はマンホールの蓋９０の鍵穴９１に嵌挿され、鍵穴からアンテナ本体１２の頭部が露出する位置に再度位置づけされる。
【００２４】
本実施態様に係るアンテナは、通常時、アンテナ部１０はマンホール鍵穴内にあり電波の送出あるいは充電用の端子として機能する。マンホール内での作業のため開閉の鍵穴に工具を挿入した時、アンテナ部１０のみが取付部４０に対して下方に移動し、工具の挿入を妨げることがない。また、工具を不必要に押し下げた場合であっても、工具に押された取付部４０のマグネットがマンホールの蓋から離脱し、アンテナ全体がマンホール内に落下することの無いアンテナとすることが可能となる。さらに、工具を鍵穴から抜き取ると、アンテナ本体１２の先端は自動的に鍵穴内に戻り、アンテナを人手により再設定する必要がない。
【実施例２】
【００２５】
図６（ａ）は摺動ガイド板に設けられるガイド穴の第２の形態を示すものである。図６（ｂ）はマンホールの蓋を開ける工具が挿入された時のアンテナ部１２の状態であり、第１態様の図５（ｃ）に相当する。ガイド穴１４５の上方はストレート部１４６であり下方は自由部１４７となっている。本形態ではストレート部１４６は一定の幅を有する溝状の穴であり、その幅はアンテナ部１０のスペーサ３０が抵抗無く上下に移動可能となるように、スペーサ３０の横幅より若干広く設定されている。ストレート部１４６の下方は右あるいは左方向にスペーサ３０を導く溝状の自由部１４７が形成されている。溝状の自由部１４７は上方から工具により押されたスペーサ３０が抵抗無く方向を変え移動可能となる曲線とすることが好ましい。
【００２６】
図６には自由部１４７の下辺を円弧状としたものが示されている。工具により押されたスペーサ３０がストレート部１４６を通過し自由部１４７に到達すると、自由部１４７の溝状の穴の辺に沿って右方向に移動する。従って、工具が更に押し下げられても、工具がアンテナ部を押し下げることはなく、アンテナをマンホール内に落下させることはない。第２の形態では自由部を左あるいは右に傾斜した溝状としたため、スペーサ３０が移動可能な範囲は大きく制限される。従って、アンテナ部が自由部１４７内で前後にずれ、第１及び第２の摺動板により形成される間隙３２が摺動ガイド板を補足できず、アンテナ部が移動不可能となる可能性が小さくなる。そのため、第１の実施形態において第１及び第２の摺動板の左右方向あるいは下方向に設けられていた逸脱防止のための傾斜部を省略することが可能となり、更に第１及び第２の摺動板を小さくすることも可能となる。
【実施例３】
【００２７】
図７（ａ）は摺動ガイド板に設けられるガイド穴の第３の形態を示すものである。図７（ｂ）はマンホールの蓋を開ける工具が挿入された時のアンテナ部１２の状態であり、第１態様の図５（ｃ）に相当する。ガイド穴２４５の上方はストレート部２４６であり下方は自由部２４７となっている。第３の形態では、ストレート部２４６は一定の幅を有する溝状の穴であり、その幅はアンテナ部１０のスペーサ３０が抵抗無く上下に移動可能となるように、スペーサ３０の横幅より若干広く設定されている。ストレート部２４６の下方は右及び左の両方向にスペーサ３０を導く溝状の自由部２４７が形成されている。溝状の自由部２４７は上方から工具により押されたスペーサ３０が抵抗無く方向を変え移動可能となる曲線とすることが好ましい。
【００２８】
図７には自由部２４７を構成する左右の溝状の穴の下辺を円弧状としたものが示されている。工具により押されたアンテナ部のスペーサ３０がストレート部２４６を通過し自由部２４７に到達すると、バネ４８の張力の違い、あるいは工具により押し下げられる力の状態に応じて、スペーサ３０は自由部２４７の右あるいは左の溝状の穴の辺に沿って下方向に移動する。図７（ｂ）は左側に移動した例が示されている。アンテナ本体１２が左方向に移動したため、工具はアンテナ部１０を押し下げることなく降下し、アンテナをマンホール内に落下させることはない。
【実施例４】
【００２９】
図８には本発明の第４の実施形態が示されている。第４の実施形態では図８（ａ）に示されるように、摺動ガイド板３４３に形成されるガイド穴３４５はストレートな形状となっている。ガイド穴をストレートな形状とすることにより、アンテナ部のスペーサ３０の前後に取り付けられる第１及び第２摺動板３２１、３２２の大きさは、ペーサ３０がガイド穴より抜け落ちない大きさであれば良く、ガイド幅よりわずかに大きいのみで足りる。第４の実施形態のアンテナ部と構成部品の斜視図が（ｂ）と（ｃ）に示されている。アンテナ本体１２及びアンテナ基盤１３に、スペーサ３０と共に取り付けられる第１及び第２の摺動板３２１、３２２は、ガイド穴３４５を貫通するスペーサ３０がガイド穴３４５から脱落することのない大きさである。
【００３０】
図８（ｄ）には同図（ａ）に示される取付部に同図（ｂ）及び（ｃ）に示されるアンテナ部を取付、更にバネ４８を張った第４の実施形態を第１摺動板３２１の側から見た図である。（ア）は通常の状態を示すものであり、アンテナ部はバネの張力によりガイド穴３４５の上部に位置し、アンテナ本体の上部がマンホール８０の鍵穴内に嵌挿されている。アンテナ本体の頂部を開閉用の工具で押下することにより、スペーサ３０はガイド穴３４５を降下する。この降下に伴ってアンテナ部が摺動ガイド板３４３に沿って降下し（イ）の状態となり、工具により鍵穴の周辺部を掛けて引き上げ、蓋を開けることが可能となる。アンテナ部は（イ）の状態から更に降下することはできない。従って、誤って工具を押し下げ続けると、アンテナ部と共に取付部を押し下げることになり、ついにはマグネット４１がマンホールの蓋から離脱し、アンテナがマンホール内に落下することになる。工具が必要以上に押下され、アンテナが脱落することを防止するため、図１１（ｂ）に示されるように、工具の中程に蓋の鍵穴を通過しない大きさのストッパーを設けことが考えられる。
【実施例５】
【００３１】
図９には取付部の他の構成例が示されている。図１に示される取付部４０は取付基板４２の中央部にほぼ直角となるように摺動ガイド板４３を設置する構成であったが、図９に示される取付部の構成は、第２取付基板６４２と第２ガイド穴６４５を有する第２ガイド部６４３を一体に構成し取付部の前部となる第２取付部６４１とし、また、第１取付基板５４２と第１ガイド穴５４５を有する第１ガイド部５４３を一体に構成し取付部の後部となる第１取付部５４１とするものである。第２取付部６４１の第２ガイド部６４５の背面と第１取付部５４１の第１ガイド部５４３の背面を密着させ両部をねじ等で固定する。
【００３２】
両取付部を背中合わせに固定することにより、第２取付基板６４２と第１取付基板５４２により取付部上部の取付基板となり、マグネットが搭載される。また、第２ガイド部６４３と第１ガイド部５４３が密着固定されることにより一枚の板状の摺動ガイド板となり、第２ガイド穴６４５と第１ガイド穴５４５が一つのガイド穴となる。また必要に応じて図３の補強材４９に相当する補強を行う。第１及び第２のガイド突起部５４６、６４６はガイド穴のストレート部を上方に延ばし、アンテナ部がアンテナ移動部５００のより上方に位置するようにするものである。この突起部の長さは、アンテナ本体の頂部がマンホールの鍵穴と同じ平面となるように決定される。図９に示される構成の取付部とすることにより、簡便に且つ強度の高い取付部の作成が可能となる。
【実施例６】
【００３３】
図１０は本発明に係るアンテナの第５の実施形態を示すものである。第５の実施形態では、アンテナ本体７４０に一体に形成されているアンテナ基盤７４１の前端を第１スペーサ（突起部）７０４を有する第１摺動板７０２により保持し、アンテナ基盤７４１の後端を第２スペーサ（突起部）７０５を有する第２摺動板７０３により保持する構成となっている。また、取付部７５０の前端には第１ガイド穴７０８を有する第１摺動ガイド板７０６が、取付部７５０の後端には第２ガイド穴７０９を有する第２摺動ガイド板７０７が設けられている。また取付基板７１０の中央にはアンテナ部７００が上下に移動する穴であるアンテナ移動部７２０があけられている。
【００３４】
アンテナ部７００の取付部７５０への取り付けは、アンテナ部７００の第１の突起部７０４と第２の突起部７０５が取付部７５０の第１ガイド穴７０８と第２ガイド穴７０９の内側から外部に出るように、アンテナ部７００の第１摺動板７０２と第２摺動板７０３を取付部７５０の第１摺動ガイド板７０６と第２摺動ガイド板７０７の内側に当接させて取付けることによりなされる。また、例えば図５に示される第１の実施態様と同様、アンテナ部７００と取付部７５０の間にバネを張り、アンテナ部７００の上部を取付部７５０のアンテナ移動部７２０に位置づける。取付基板７１０に取り付けられたマグネット７３０によりアンテナがマンホールの蓋の裏面に吸着されると、アンテナ本体７４０の先端がマンホールの蓋の鍵穴内に嵌挿される。
【００３５】
アンテナがマンホールに取り付けられた状態で、マンホールの蓋を開ける工具によりアンテナ本体７４０の頭部が押し下げられると、アンテナ本体７４０を保持するアンテナ部７００の第１及び第２突起７０４、７０５は取付部７５０の第１及び第２のガイド穴７０８、７０９を下方に移動する。図５に示されるガイド穴４５に対するスペーサ３０の動きと同様の動きを、突起７０４、７０５がガイド穴７０８、７０９に対して行ない、工具の降下によりアンテナが押し下げられマンホール内に落下することのない動きが可能となる。また、ガイド穴７０８、７０９の形態は図６乃至図９に示される形態が採用可能である。
【００３６】
図１２には、誘電体等を使用して構成されるチップアンテナ、パッチアンテナ、線状アンテナ等の小型のアンテナに本発明を適用したアンテナ本体の構成を示すものである。１１３は図１におれるアンテナ基盤１３に相当する。１１２はチップアンテナ、パッチアンテナ、線状アンテナ等のアンテナ本体である。１１４はアンテナ本体をマンホールの鍵穴に嵌挿するためのアンテナ支持部であり、アンテナ基盤１３の下面等に設けられる給電コードのコネクタとアンテナ本体を結合する機能を有している。アンテナ支持部は、アンテナ部がバネの張力により取付部の上部に位置づけされたとき、アンテナ本体がマンホールの鍵穴に嵌挿され、その頭部がマンホールの表面とほぼ平面となる長さに定められる。
【産業上の利用可能性】
【００３７】
道路等に埋設されたライフラインのメンテナンスを行うに適したマンホールやハンドホールの蓋にアンテナを装着するに際して、本発明に係る落下防止金具を用いることにより、マンホールの蓋を開けるため開閉用の工具を鍵穴に挿入する際、工具の挿入が容易であり、工具の挿入によりアンテナがマンホール内に落下することを防止し得る。また、開閉用の工具を鍵穴から抜き取った時、アンテナ部は取付部を上方に摺動し、アンテナ部が保持するアンテナ本体が自動的に開閉用の鍵穴に嵌挿され、アンテナの再設定を人手により行う必要が無くなる。
【図面の簡単な説明】
【００３８】
【図１】第１の実施態様におけるアンテナ部の図
【図２】第１の実施態様における取付部の図
【図３】第１の実施態様におけるアンテナ部と取付部の斜視図
【図４】第１の実施態様の斜視図と透視図
【図５】第１の実施態様における動作図
【図６】第２の実施態様における動作図
【図７】第３の実施態様における動作図
【図８】第４の実施態様における動作図
【図９】取付部の他の構成図
【図１０】第５の実施態様の斜視図
【図１１】マンホール開閉用の工具を示す図
【図１２】アンテナ本体の他の実施の形態を示す図
【図１３】従来のマンホールアンテナの概念図
【図１４】マンホールの蓋の概念図
【図１５】アンテナ本体と鍵穴の図
【図１６】従来のマンホールアンテナの先端部の図
【図１】
2006253773.tif 000003
【図２】
2006253773.tif 000004
【図３】
2006253773.tif 000005
【図４】
2006253773.tif 000006
【図５】
2006253773.tif 000007
【図６】
2006253773.tif 000008
【図７】
2006253773.tif 000009
【図８】
2006253773.tif 000010
【図９】
2006253773.tif 000011
【図１０】
2006253773.tif 000012
【図１１】
2006253773.tif 000013
【図１２】
2006253773.tif 000014
【図１３】
2006253773.tif 000015
【図１４】
2006253773.tif 000016
【図１５】
2006253773.tif 000017
【図１６】
2006253773.tif 000018